(57)【特許請求の範囲】
【請求項１】
測定対象である移動通信システムのディジタル通信機器に対して送出すべき変調信号の試験信号を作成する信号作成出力部と、
前記信号作成出力部で前記試験信号を作成する際に用いられるＩ，Ｑデータ形式の波形データのライセンスを管理するライセンス管理部と、
を具備する信号発生器であって、
前記ライセンス管理部は、
それぞれ異なる試験のための複数の波形データが書込まれる複数の波形データファイルを記憶する波形データメモリと、
前記波形データメモリに記憶される各波形データファイルを特定するための波形データファイル情報を予め暗号化して記憶する波形データファイル情報メモリと、
外部から入力される当該信号発生器に対して認証された使用許可の波形データファイルを特定する使用許可ファイルリストを取込む使用許可ファイルリスト取込部と、
前記使用許可ファイルリスト取込部によって取込まれる使用許可ファイルリストを記憶する使用許可ファイルリストメモリと、
前記波形データメモリに記憶される複数の波形データファイルのうちから使用希望の波形データファイルを指定する使用ファイル指定部と、
前記使用許可ファイルリストメモリに記憶されている前記使用許可ファイルリストと前記データファイル情報メモリに記憶されている波形データファイル情報とを用いて、前記使用ファイル指定部によって指定された前記使用希望の波形データファイルが前記使用許可ファイルリストメモリに記憶されている使用許可ファイルリストに含まれているか否かを判定する判定部と、
前記判定部によって前記使用希望の波形データファイルが前記使用許可ファイルリストメモリに含まれていると判定されたとき、当該指定された波形データファイルを前記波形データメモリから読出して、前記信号作成出力部へ転送する波形データファイル読出転送部とを備え、
前記信号作成出力部は、前記波形データファイル読出転送部から転送される前記波形データファイルから読み出される波形データに基づいて所定の試験信号を作成して前記測定対象に対して送出し、
前記使用許可ファイルリスト取込部によって取込まれる前記使用許可ファイルリストは、当該信号発生器に対して固有の情報を用いて予め暗号化されており、
前記信号発生器は、
当該信号発生器に対して固有の情報を用いて前記暗号化された使用許可ファイルリストを復号化して前記使用許可ファイルリストメモリへ書込む第１の復号部と、
前記暗号化された波形データファイル情報を復号化して前記判定部へ送出する第２の復号部と、
をさらに備えていることを特徴とするライセンス管理機能を有する信号発生器。
【請求項２】
前記波形データメモリに記憶される前記複数の波形データファイルはそれぞれバージョンを有し、
前記使用許可ファイルリストメモリに記憶される前記使用許可ファイルリストには当該信号発生器に対して認証された使用許可の波形データファイルに応じて使用許可バージョンが登録されており、
前記判定部は、前記使用ファイル指定部によって前記指定された波形データファイルのバージョンが、前記使用許可ファイルリストに登録されている同一の波形データファイルに対する前記使用許可バージョン以下のとき、当該指定された波形データファイルが前記使用許可ファイルリストメモリに記憶された使用許可ファイルリストに含まれていると判定することを特徴とする請求項１に記載のライセンス管理機能を有する信号発生器。
【請求項３】
当該信号発生器に対して固有の情報が、当該信号発生器の製造番号であり、
前記信号発生器は、当該信号発生器の製造番号を記憶する製造番号メモリをさらに備え、
前記波形データファイル情報は、当該信号発生器の製造番号を用いて予め暗号化して記憶されており、
前記第１の復号部は、前記製造番号メモリから読み出される当該信号発生器の製造番号を用いて前記暗号化された使用許可ファイルリストを復号化し、
前記第２の復号部は、前記製造番号メモリから読み出される当該信号発生器の製造番号を用いて前記暗号化された波形データファイル情報を復号化することを特徴とする請求項３に記載のライセンス管理機能を有する信号発生器。
【請求項４】
前記暗号化された使用許可ファイルリストは、ネットワークを介して当該信号発生器に前記信号発生器メーカのサイトから有償でダウンロードされることを特徴とする請求項１に記載のライセンス管理機能を有する信号発生器。
【請求項５】
前記暗号化された使用許可ファイルリストは、前記信号発生器メーカから有償で提供される記憶媒体を介して当該信号発生器にダウンロードされることを特徴とする請求項１に記載のライセンス管理機能を有する信号発生器。
【請求項６】
前記波形データメモリに記憶される前記波形データファイルは、ネットワークを介して前記信号発生器メーカのサイトから無償でダウンロードされることを特徴とする請求項１に記載のライセンス管理機能を有する信号発生器。
【請求項７】
前記信号発生器は、前記波形データファイル読出転送部によって転送される前記波形データファイルから読み出された波形データの詳細情報を表示する詳細表示部をさらに備え、
前記測定対象であるディジタル通信機器は、Ｗ−ＣＤＭＡ方式の携帯電話であり、
前記詳細情報は、情報ビットレートであることを特徴とする請求項１に記載のライセンス管理機能を有する信号発生器。
【請求項８】
前記信号発生器は、
前記波形データメモリに記憶される前記波形データファイルの名称の一覧表示を指定するための一覧表示指定部と、
前記一覧表示指定部による指定に応じて、前記波形データメモリに記憶される前記波形データファイルの名称を一覧表示する一覧表示部とをさらに備えていることを特徴とする請求項１に記載のライセンス管理機能を有する信号発生器。
【請求項９】
前記波形データメモリに記憶される前記波形データファイルには、Ｗ−ＣＤＭＡ送信試験データパッケージ及びＧＳＭ送信試験データパッケージの少なくとも一つが含まれていることを特徴とする請求項１に記載のライセンス管理機能を有する信号発生器。
【請求項１０】
測定対象である移動通信システムのディジタル通信機器に対して送出すべき変調信号の試験信号を作成する信号作成出力部を準備する段階と、
前記信号作成出力部で前記試験信号を作成する際に用いられるＩ，Ｑデータ形式の波形データのライセンスを管理する段階と、
を具備する信号発生器のライセンス管理方法であって、
前記ライセンスを管理する段階は、
それぞれ異なる試験のための複数の波形データが書込まれる複数の波形データファイルを波形データメモリに記憶する段階と、
前記波形データメモリに記憶される各波形データファイルを特定するための波形データファイル情報を予め暗号化して波形データファイル情報メモリに記憶する段階と、
外部から入力される当該信号発生器に対して認証された使用許可の波形データファイルを特定する使用許可ファイルリストを取込む段階と、
前記取込む段階によって取込まれる前記使用許可ファイルリストを使用許可ファイルリストメモリに記憶する段階と、
前記波形データメモリに記憶される複数の波形データファイルのうちから使用希望の波形データファイルを指定する段階と、
前記使用許可ファイルリストメモリに記憶されている前記使用許可ファイルリストと前記データファイル情報メモリに記憶されている波形データファイル情報とを用いて、前記指定する段階によって指定された前記使用希望の波形データファイルが前記使用許可ファイルリストメモリに記憶されている使用許可ファイルリストに含まれているか否かを判定する段階と、
前記判定する段階によって前記使用希望の波形データファイルが前記使用許可ファイルリストメモリに含まれていると判定されたとき、当該指定された波形データファイルを前記波形データメモリから読み出して、前記信号作成出力部へ転送する段階とを備え、
前記信号作成出力部は、前記転送する段階によって転送される前記波形データファイルから読み出された波形データに基づいて所定の試験信号を作成して前記測定対象に対して送出し、
前記使用許可ファイルリストを取込む段階において取込まれる前記使用許可ファイルリストは、当該信号発生器に対して固有の情報を用いて予め暗号化されており、
前記信号発生器は、
当該信号発生器に対して固有の情報を用いて前記暗号化された使用許可ファイルリストを復号化して前記使用許可ファイルリストメモリへ書込む第１の復号化する段階と、
前記暗号化された波形データファイル情報を復号化して前記判定部へ送出する第２の復号化する段階と、
をさらに備えていることを特徴とする信号発生器のライセンス管理方法。
【請求項１１】
前記波形データメモリに記憶される前記複数の波形データファイルはそれぞれバージョンを有し、
前記使用許可ファイルリストメモリに記憶される前記使用許可ファイルリストには当該信号発生器に対して認証された使用許可の波形データファイルに応じて使用許可バージョンが登録されており、
前記判定する段階は、前記使用ファイル指定部によって前記指定された波形データファイルのバージョンが、前記使用許可ファイルリストに登録されている同一の波形データファイルに対する前記使用許可バージョン以下のとき、当該指定された波形データファイルが前記使用許可ファイルリストメモリに記憶された使用許可ファイルリストに含まれていると判定することを特徴とする請求項１０に記載の信号発生器のライセンス管理方法。
【請求項１２】
前記信号発生器に対して固有の情報が、当該信号発生器の製造番号であり、
前記信号発生器のライセンス管理方法は、当該信号発生器の製造番号を製造番号メモリに記憶する段階をさらに備え、
前記波形データファイル情報は当該信号発生器の製造番号を用いて予め暗号化して記憶されており、
前記第１の復号化する段階は、前記製造番号メモリから読み出される当該信号発生器の製造番号を用いて前記暗号化された使用許可ファイルリストを復号化し、
前記第２の復号化する段階は、前記製造番号メモリから読み出される当該信号発生器の製造番号を用いて前記暗号化された波形データファイル情報を復号化することを特徴とする請求項１０に記載の信号発生器のライセンス管理方法。
【請求項１３】
前記暗号化された使用許可ファイルリストは、ネットワークを介して当該信号発生器に前記信号発生器メーカのサイトから有償でダウンロードされることを特徴とする請求項１０に記載の信号発生器のライセンス管理方法。
【請求項１４】
前記暗号化された使用許可ファイルリストは、前記信号発生器メーカから有償で提供される記憶媒体を介して当該信号発生器にダウンロードされることを特徴とする請求項１０に記載の信号発生器のライセンス管理方法。
【請求項１５】
前記波形データメモリに記憶される前記波形データファイルは、ネットワークを介して前記信号発生器メーカのサイトから無償でダウンロードされることを特徴とする請求項１０に記載の信号発生器のライセンス管理方法。
【請求項１６】
前記信号発生器のライセンス管理方法は、前記波形データファイルから読み出される波形データの詳細情報を表示する段階をさらに備え、
前記測定対象であるディジタル通信機器は、Ｗ−ＣＤＭＡ方式の携帯電話であり、
前記詳細情報は、情報ビットレートであることを特徴とする請求項１０に記載の信号発生器のライセンス管理方法。
【請求項１７】
前記信号発生器のライセンス管理方法は、
前記波形データメモリに記憶される前記波形データファイルの名称の一覧表示を指定する段階と、
前記一覧表示の指定に応じて、前記波形データメモリに記憶される前記波形データファイルの名称を一覧表示する段階と、
をさらに備えていることを特徴とする請求項１０に記載の信号発生器のライセンス管理方法。
【請求項１８】
前記波形データメモリに記憶される前記波形データファイルには、Ｗ−ＣＤＭＡ送信試験データパッケージ及びＧＳＭ送信試験データパッケージの少なくとも一つが含まれていることを特徴とする請求項１０に記載の信号発生器のライセンス管理方法。
【発明の詳細な説明】
【技術分野】
【０００１】  本発明はライセンス管理機能を有する信号発生器及びそのライセンス管理方法に係り、特に、各種の信号発生器に組込まれ、この信号発生器から測定対象に対して送出する試験信号の波形データのライセンスを管理する機能を有する信号発生器及びそのライセンス管理方法に関する。
【背景技術】
【０００２】  携帯電話（ｍｏｂｉｌｅ  ｃｅｌｌｕｌａｒ  ｐｈｏｎｅ）やＰＨＳ（ｐｅｒｓｏｎａｌ  ｈａｎｄｙｐｈｏｎｅ  ｓｙｓｔｅｍ）等の移動通信システムにおける各移動局に対する試験や、情報通信システムに組込まれる各種の情報通信機器に対する試験や、さらに光通信システムに組込まれる各種の光通信機器に対する試験等においては、上述した一つの測定対象に対する試験の測定項目が多岐に亘る。【０００３】  さらには、これらの試験における各測定項目においても、測定条件、測定パラメータが、詳細に試験規格として定められている場合が多い。【０００４】  また、携帯電話の場合には、異なる通信システム、具体的にはＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続方式）やＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ：ディジタル携帯電話システム方式）で通信試験を行う必要もある。【０００５】  例えば、Ｗ−ＣＤＭＡ方式の携帯電話における基準測定チャンネル（Ｒｅｆｅｒｅｎｃｅ  Ｍｅａｓｕｒｅｍｅｎｔ  ｃｈａｎｎｅｌｓ）試験の場合には、次の非特許文献１によって試験に必要なパラメータ等が規格化されている。
［非特許文献１］３ＧＰＰ  ＴＳ  ２５．１４１  Ｖ５．７．０（２００３−６）              ｐｐ１１０−１１３さらに、この種の通信システムの試験においては、その試験の項目毎に必要な測定器が予め定められている。【０００６】  例えば、携帯電話やＰＨＳ等の応答試験において必要な測定器は、携帯電話やＰＨＳ等の測定対象に対して試験信号を送出する信号発生器、測定対象からの応答信号の周波数特性を測定するスペクトラムアナライザ等である。【０００７】  したがって、試験実施者は、各測定器に対して、試験の測定項目毎に測定条件、測定パラメータを一つの測定が終了する毎に設定する必要があるので、試験実施者にとって非常に煩わしい。【０００８】  特に、例えば、信号発生器から携帯電話やＰＨＳ等の測定対象に対して、予め規格化されている測定条件、測定パラメータに対応した各種の試験信号を送出する必要がある。【０００９】  したがって、この場合には、測定条件、測定パラメータに対応した各種の試験信号における信号波形を実現するために、試験実施者は、各信号波形に対応する波形データを予め各測定器に対して設定しておく必要がある。【００１０】  しかるに、この各波形データを各測定器のメモリに設定する作業は、試験実施者にとって、非常に煩わしく、長時間を有し、かつ誤設定の発生する確率が高い。【００１１】  このような不都合を回避するために、従来、図９に示すような試験システムが提唱されている。【００１２】  すなわち、この試験システムでは、測定対象１に対して各種の測定を実施するためのスペクトラムアナライザ２ａ、信号発生器２ｂ等の各測定器のうち、例えば、信号発生器２ｂに対して、測定器のメーカが、例えば、ＣＤ−ＲＯＭ（ｃｏｍｐａｃｔ  ｄｉｓｃ−ｒｅａｄ  ｏｎｌｙ  ｍｅｍｏｒｙ）３に測定条件、測定パラメータに対応した試験信号を実現するための各種の波形データを書込んで、有償で、この測定器（信号発生器２ｂ）を購入したユーザに提供するようにしている。【００１３】  したがって、測定器のメーカは、この各波形データが無断で、他の測定器（信号発生器２ｂ）に使用されないように、ライセンス管理を実施する必要がある。【００１４】  ソフトウエアの一般的なライセンス管理の手法は、固有のインストールキーを各波形データと共にＣＤ−ＲＯＭ３に書込み、ＣＤ−ＲＯＭ３のケース４にインストールキー５が表記されたラベルを貼付ける。【００１５】  そして、この各波形データは、その使用が許諾されている信号発生器（測定器）２ｂに対するインストール時に、操作員（試験実施者）にてキー入力されたインストールキー６がＣＤ−ＲＯＭ３に書込まれたインストールキーに一致していることが確認される。【００１６】  このインストールされたソフトウエアのライセンス管理の一手法が次の特許文献１に開示されている。
［特許文献１］特開平８−２９７６９８号公報  この特許文献１に開示されているインストールされたソフトウエアのライセンス管理手法では、コンピュータへのソフトウエアのインストールの実行回数が所定回数以上である場合には、コンピュータに情報料回収代行サービスを呼び出す旨を表示するとともに、情報料回収代行サービスは着信があると、インストールキーを告げる際に、情報料を回収するようにしている。【００１７】  しかしながら、上述したインストールキーを用いた波形データのライセンス管理手法においても、まだ解消すべき次のような課題がある。【００１８】  すなわち、一般に、信号発生器２ｂに対して、インストールされた後の波形データが書込まれたＣＤ−ＲＯＭ３はインストールキー５のラベルが貼付けられた状態のケース４に収納された状態で保管される。【００１９】  したがって、この各波形データをその使用が許諾されていない他の信号発生器（測定器）２ｂに簡単にインストールすることができるので、測定器のメーカにとって各波形データに対するライセンス管理が不十分となりがちである。【００２０】  すなわち、この各波形データを有償で測定器のユーザへ提供する測定器のメーカにとっては、十分なライセンス料を確保することができないばかりか、各ユーザに対して適切なバージョン管理を行うことがができないという点で問題となる。
【発明の開示】
【００２１】  本発明の目的は、以上のような事情に鑑みて、信号発生器自体にライセンス管理機能を備えておくようにすることにより、各信号発生器に対して確実にライセンス契約を実施することができるとともに、操作者の操作負担を軽減でき、かつ波形データに対するライセンス管理を確実に実施することができるライセンス管理機能を有する信号発生器及びそのライセンス管理方法を提供することである。
【００２２】
上記目的を達成するために、本発明の第１の態様によると、
測定対象（１）である移動通信システムのディジタル通信機器に対して送出すべき試験信号を作成する信号作成出力部（１１）と、
前記信号作成出力部（１１）で前記試験信号を作成する際に用いられるＩ，Ｑデータ形式の波形データのライセンスを管理するライセンス管理部（１２）と、
を具備する信号発生器であって、
前記ライセンス管理部（１２）は、
それぞれ異なる試験のための複数の波形データが書込まれる複数の波形データファイル（１９）を記憶する波形データメモリ（１８）と、
前記波形データメモリ（１８）に記憶される各波形データファイル（１９）を特定するための波形データファイル情報を予め暗号化して記憶する波形データファイル情報メモリ（２０）と、
外部から入力される当該信号発生器に対して認証された使用許可の波形データファイルを特定する使用許可ファイルリスト（２１）を取込む使用許可ファイルリスト取込部（２６）と、
前記使用許可ファイルリスト取込部（２６）によって取込まれる使用許可ファイルリスト（２１）を記憶する使用許可ファイルリストメモリ（２９）と、
前記波形データメモリ（１８）に記憶される複数の波形データファイル（１９）のうちから使用希望の波形データファイルを指定する使用ファイル指定部（３４）と、
前記使用許可ファイルリストメモリ（２９）に記憶されている前記使用許可ファイルリスト（２１）と前記データファイル情報メモリ（２０）に記憶されている波形データファイル情報とを用いて、前記使用ファイル指定部（３４）によって指定された前記使用希望の波形データファイルが前記使用許可ファイルリストメモリ（２９）に記憶されている使用許可ファイルリストに含まれているか否かを判定する判定部（３０）と、
前記判定部（３０）によって前記使用希望の波形データファイルが前記使用許可ファイルリストメモリ（２９）に含まれていると判定されたとき、当該指定された波形データファイル（１９）を前記波形データメモリ（１８）から読出して、前記信号作成出力部（１１）へ転送する波形データファイル読出転送部（３６）と
を備え、
前記信号作成出力部（１１）は、前記波形データファイル読出転送部（３６）から転送される前記波形データファイル（１９）から読み出される波形データに基づいて所定の試験信号を作成して前記測定対象（１）に対して送出し、
前記使用許可ファイルリスト取込部（２６）によって取込まれる前記使用許可ファイルリストは、当該信号発生器に対して固有の情報を用いて予め暗号化されており、
前記信号発生器は、
当該信号発生器に対して固有の情報を用いて前記暗号化された使用許可ファイルリスト（２１）を復号化して前記使用許可ファイルリストメモリ（２９）へ書込む第１の復号部（２７）と、
前記暗号化された波形データファイル情報を復号化して前記判定部（３０）へ送出する第２の復号部（３５）と、
をさらに備えていることを特徴とするライセンス管理機能を有する信号発生器が提供される。
【００２３】  このように構成されたライセンス管理機能を有する信号発生器においては、信号発生器を販売する信号発生器のメーカは、信号発生器の波形データメモリに予めそれぞれ波形データが書込まれた複数の波形データファイルを無償で書込んだ状態で、この測定器をユーザに販売するか、又は、販売した後において、ユーザの要求に応じて、無償で波形データが書込まれた波形データファイルを提供する。
【００２４】  そして、信号発生器を販売する信号発生器のメーカは、各信号発生器毎に当該信号発生器に対して使用許可の波形データファイルを特定する使用許可ファイルリストを各信号発生器のユーザに有償で提供する。
【００２５】  各信号発生器のユーザは、有償で提供された使用許可ファイルリストを自己の対応する信号発生器へ入力する。
【００２６】  その後、信号発生器のユーザが使用希望の波形データファイルに対する操作指定を行うと、指定された波形データファイルが使用許可ファイルリストに含まれていれば、該当使用希望の波形データファイルが波形データメモリから読出されて、試験信号の作成出力部へ転送される結果、信号発生器から使用希望の波形データファイルの波形データを用いた波形を有する試験信号が測定対象へ送出される。
【００２７】  このように、各信号発生器の波形データメモリに無償で書込まれた各波形データファイルは、該当信号発生器に対して有償で提供された使用許可ファイルリストに含まれていない限り、読出されないので、信号発生器のメーカは、各波形データ（各波形データファイル）に対するライセンス管理を確実に実施することができる。
【００２８】  上記目的を達成するために、本発明の第２の態様によると、
前記波形データメモリ（１８）に記憶される前記複数の波形データファイル（１９）はそれぞれバージョンを有し、
前記使用許可ファイルリストメモリ（２９）に記憶される前記使用許可ファイルリスト（２１）には当該信号発生器に対して認証された使用許可の波形データファイル（１９）に応じて使用許可バージョンが登録されており、
前記判定手段は、前記使用ファイル指定部（３４）によって前記指定された波形データファイル（１９）のバージョンが、前記使用許可ファイルリスト（２１）に登録されている同一の波形データファイル（１９）に対する前記使用許可バージョン以下のとき、当該指定された波形データファイル（１９）が前記使用許可ファイルリストメモリ（２９）に記憶された使用許可ファイルリストに含まれていると判定することを特徴とする第１の態様に従うライセンス管理機能を有する信号発生器が提供される。
【００２９】  このように構成されたライセンス管理機能を有する信号発生器においては、波形データメモリの各波形データファイル及び使用許可ファイルリストの各使用許可ファイルにそれぞれバージョンを持たすことにより、同一の波形データファイルにおいても、最新のバージョン（バージョンの値が大きい）の波形データファイルは、追加の使用料の徴収が可能となり、各波形データ（各波形データファイル）に対するライセンス管理をそのバージョン管理を含めてより確実に実施することができる。
【００３１】
上述した本発明の第１の実施の形態に係るライセンス管理機能を有する信号発生器においては、信号発生器のメーカから有償で提供される使用許可ファイルリストは提供先のユーザの信号発生器に対して固有の情報を用いて暗号化されているので、この使用許可ファイルリストは提供先のユーザの信号発生器に入力されたときのみ、当該信号発生器に対して固有の情報で復号が可能である。
【００３２】
したがって、この使用許可ファイルリストは他の信号発生器に入力したとしても復号できないので、使用許可ファイルリストの安全性をより一層向上させることができる。
【００３３】
上記目的を達成するために、本発明の第３の態様によると、
当該信号発生器に対して固有の情報が、当該信号発生器の製造番号であり、
前記信号発生器は、当該信号発生器の製造番号を記憶する製造番号メモリ（２８）をさらに備え、
前記波形データファイル情報は当該信号発生器の製造番号を用いて予め暗号化して記憶されており、
前記第１の復号部（２７）は、前記製造番号メモリ（２８）から読み出される当該信号発生器の製造番号を用いて前記暗号化された使用許可ファイルリスト（２１）を復号化し、
前記第２の復号部（３５）は、前記製造番号メモリ（２８）から読み出される当該信号発生器の製造番号を用いて前記暗号化された波形データファイル情報を復号化することを特徴とする第１の態様に従うライセンス管理機能を有する信号発生器が提供される。
【００３４】  このように構成されたライセンス管理機能を有する信号発生器においては、信号発生器のメーカから有償で提供される使用許可ファイルリストは提供先のユーザの信号発生器の製造番号で暗号化されているので、この使用許可ファイルリストは提供先のユーザの信号発生器に入力されたときのみ、当該信号発生器の製造番号で復号が可能である。
【００３５】  したがって、この使用許可ファイルリストは他の信号発生器に入力したとしても復号できないので、使用許可ファイルリストの安全性をより一層向上させることができる。
【００３６】
上記目的を達成するために、本発明の第４の態様によると、
前記暗号化された使用許可ファイルリスト（２１）は、ネットワークを介して当該信号発生器に前記信号発生器メーカのサイトから有償でダウンロードされることを特徴とする第１の態様に従うライセンス管理機能を有する信号発生器が提供される。
【００３７】  このように構成されたライセンス管理機能を有する信号発生器においては、ネットワークを介して信号発生器メーカのサイトから暗号化された使用許可ファイルリストをダウンロードすることによって、信号発生器のメーカ及び信号発生器のユーザにとって、非常に効率的に各種業務を遂行することが可能となる。
【００３８】
上記目的を達成するために、本発明の第５の態様によると、
前記暗号化された使用許可ファイルリスト（２１）は、前記信号発生器メーカから有償で提供される記憶媒体を介して当該信号発生器にダウンロードされることを特徴とする第１の態様に従うライセンス管理機能を有する信号発生器が提供される。
【００３９】  このように構成されたライセンス管理機能を有する信号発生器においては、信号発生器メーカから提供される記憶媒体を介して、暗号化された使用許可ファイルリストダウンロードすることによって、信号発生器のメーカ及び信号発生器のユーザにとって、非常に効率的に各種業務を遂行することが可能となる。
【００４０】
上記目的を達成するために、本発明の第６の態様によると、
前記波形データメモリ（１８）に記憶される前記波形データファイル（１９）は、ネットワークを介して前記信号発生器メーカのサイトから無償でダウンロードされることを特徴とする第１の態様に従うライセンス管理機能を有する信号発生器が提供される。
【００４１】  このように構成されたライセンス管理機能を有する信号発生器においては、ネットワークを介して信号発生器メーカのサイトから各波形データファイルをダウンロードすることによって、信号発生器のメーカ及び信号発生器のユーザにとって、非常に効率的に各種業務を遂行することが可能となる。
【００４２】
上記目的を達成するために、本発明の第７の態様によると、
前記信号発生器は、前記波形データファイル読出転送部（３６）によって転送される前記波形データファイル（１９）から読み出された波形データの詳細情報を表示する詳細情報表示部（３６ａ）をさらに備え、
前記測定対象であるディジタル通信機器は、Ｗ−ＣＤＭＡ方式の携帯電話であり、
前記詳細情報は、情報ビットレートであることを特徴とする第１の態様に従うライセンス管理機能を有する信号発生器が提供される。
【００４３】  このように構成されたライセンス管理機能を有する信号発生器においては、波形データファイル読出転送部によって転送される波形データファイルから読み出された波形データの詳細情報が表示されるので、信号発生器のユーザにとって、非常に効率的に各種業務を遂行することが可能となる。
【００４４】
上記目的を達成するために、本発明の第８の態様によると、
前記信号発生器は、
前記波形データメモリ（１８）に記憶される前記波形データファイル（１９）の名称の一覧表示を指定するための一覧表示指定部（３３ａ）と、
前記一覧表示指定部（３３ａ）による指定に応じて、前記波形データメモリ（１８）に記憶される前記波形データファイル（１９）の名称を一覧表示する一覧表示部（１８ａ）と、をさらに備えていることを特徴とする第１の態様に従うライセンス管理機能を有する信号発生器が提供される。
【００４５】  このように構成されたライセンス管理機能を有する信号発生器においては、一覧表示指定部による指定に応じて、波形データメモリに記憶される前記波形データファイルの名称が一覧表示部に一覧表示されるので、信号発生器のユーザにとって、非常に効率的に各種業務を遂行することが可能となる。
【００４６】
上記目的を達成するために、本発明の第９の態様によると、
前記波形データメモリ（１８）に記憶される前記波形データファイル（１９）には、Ｗ−ＣＤＭＡ送信試験データパッケージ及びＧＳＭ送信試験データパッケージの少なくとも一つが含まれていることを特徴とする第１の態様に従うライセンス管理機能を有する信号発生器が提供される。
【００４７】  このように構成されたライセンス管理機能を有する信号発生器においては、波形データメモリに記憶される波形データファイルにＷ−ＣＤＭＡ送信試験データパッケージ及びＧＳＭ送信試験データパッケージの少なくとも一つが含まれているので、信号発生器のユーザにとって、非常に効率的に各種業務を遂行することが可能となる。
【００４８】
上記目的を達成するために、本発明の第１０の態様によると、
測定対象（１）である移動通信システムのディジタル通信機器に対して送出すべき変調信号の試験信号を作成する信号作成出力部（１１）を準備する段階と、
前記信号作成出力部（１１）で前記試験信号を作成する際に用いられるＩ，Ｑデータ形式の波形データのライセンスを管理する段階と、
を具備する信号発生器のライセンス管理方法であって、
前記ライセンスを管理する段階は、
それぞれ異なる試験のための複数の波形データが書込まれる複数の波形データファイル（１９）を波形データメモリ（１８）に記憶する段階と、
前記波形データメモリ（１８）に記憶される各波形データファイル（１９）を特定するための波形データファイル情報を予め暗号化して波形データファイル情報メモリ（２０）に記憶する段階と、
外部から入力される当該信号発生器に対して認証された使用許可の波形データファイルを特定する使用許可ファイルリスト（２１）を取込む段階と、
前記取込む段階によって取込まれる前記使用許可ファイルリスト（２１）を使用許可ファイルリストメモリ（２９）に記憶する段階と、
前記波形データメモリ（１８）に記憶される複数の波形データファイル（１９）のうちから使用希望の波形データファイルを指定する段階と、
前記使用許可ファイルリストメモリ（２９）に記憶されている前記使用許可ファイルリスト（２１）と前記データファイル情報メモリ（２０）に記憶されている波形データファイル情報とを用いて、前記指定する段階によって指定された前記使用希望の波形データファイルが前記使用許可ファイルリストメモリ（２９）に記憶されている使用許可ファイルリストに含まれているか否かを判定する段階と、
前記判定する段階によって前記使用希望の波形データファイルが前記使用許可ファイルリストメモリ（２９）に含まれていると判定されたとき、当該指定された波形データファイル（１９）を前記波形データメモリ（１８）から読み出して、前記信号作成出力部（１１）へ転送する段階と、
を備え、
前記信号作成出力部（１１）は、前記転送する段階によって転送される前記波形データファイル（１９）から読み出された波形データに基づいて所定の試験信号を作成して前記測定対象（１）に対して送出し、
前記使用許可ファイルリストを取込む段階において取込まれる前記使用許可ファイルリストは、当該信号発生器に対して固有の情報を用いて予め暗号化されており、
前記信号発生器は、
当該信号発生器に対して固有の情報を用いて前記暗号化された使用許可ファイルリストを復号化して前記使用許可ファイルリストメモリへ書込む第１の復号化する段階と、
前記暗号化された波形データファイル情報を復号化して前記判定部（３０）へ送出する第２の復号化する段階と、
をさらに備えていることを特徴とする信号発生器のライセンス管理方法が提供される。
【００４９】
このように構成された第１０の態様による信号発生器のライセンス管理方法及び以下に記載する第１１乃至第１８の態様による信号発生器のライセンス管理方法においても、上述した第１乃至第９の態様によるライセンス管理機能を有する信号発生器とほぼ同じ作用効果を奏することが可能である。
【００５０】
上記目的を達成するために、本発明の第１１の態様によると、
前記波形データメモリ（１８）に記憶される前記複数の波形データファイル（１９）はそれぞれバージョンを有し、
前記使用許可ファイルリストメモリ（２９）に記憶される前記使用許可ファイルリスト（２１）には当該信号発生器に対して認証された使用許可の波形データファイル（１９）に応じて使用許可バージョンが登録されており、
前記判定する段階は、前記使用ファイル指定部（３４）によって前記指定された波形データファイル（１９）のバージョンが、前記使用許可ファイルリスト（２１）に登録されている同一の波形データファイル（１９）に対する前記使用許可バージョン以下のとき、当該指定された波形データファイル（１９）が前記使用許可ファイルリストメモリ（２９）に記憶された使用許可ファイルリストに含まれていると判定することを特徴とする第１０の態様に従う信号発生器のライセンス管理方法が提供される。
【００５２】
上記目的を達成するために、本発明の第１２の態様によると、
前記信号発生器に対して固有の情報が、当該信号発生器の製造番号であり、
前記信号発生器のライセンス管理方法は、当該信号発生器の製造番号を製造番号メモリ（２８）に記憶する段階をさらに備え、
前記波形データファイル情報は当該信号発生器の製造番号を用いて予め暗号化して記憶されており、
前記第１の復号化する段階は、前記製造番号メモリ（２８）から読み出される当該信号発生器の製造番号を用いて前記暗号化された使用許可ファイルリスト（２１）を復号化し、
前記第２の復号化する段階は、前記製造番号メモリ（２８）から読み出される当該信号発生器の製造番号を用いて前記暗号化された波形データファイル情報を復号化することを特徴とする第１０の態様に従う信号発生器のライセンス管理方法が提供される。
【００５３】
上記目的を達成するために、本発明の第１３の態様によると、
前記暗号化された使用許可ファイルリスト（２１）は、ネットワークを介して当該信号発生器に前記信号発生器メーカのサイトから有償でダウンロードされることを特徴とする第１０の態様に従う信号発生器のライセンス管理方法が提供される。
【００５４】
上記目的を達成するために、本発明の第１４の態様によると、
前記暗号化された使用許可ファイルリスト（２１）は、前記信号発生器メーカから有償で提供される記憶媒体を介して当該信号発生器にダウンロードされることを特徴とする第１０の態様に従う信号発生器のライセンス管理方法が提供される。
【００５５】
上記目的を達成するために、本発明の第１５の態様によると、
前記波形データメモリ（１８）に記憶される前記波形データファイル（１９）は、ネットワークを介して前記信号発生器メーカのサイトから無償でダウンロードされることを特徴とする第１０の態様に従う信号発生器のライセンス管理方法が提供される。
【００５６】
上記目的を達成するために、本発明の第１６の態様によると、
前記信号発生器のライセンス管理方法は、前記波形データファイル（１９）から読み出される波形データの詳細情報を表示する段階をさらに備え、
前記測定対象であるディジタル通信機器は、Ｗ−ＣＤＭＡ方式の携帯電話であり、
前記詳細情報は、情報ビットレートであることを特徴とする第１０の態様に従う信号発生器のライセンス管理方法が提供される。
【００５７】
上記目的を達成するために、本発明の第１７の態様によると、
前記信号発生器のライセンス管理方法は、
前記波形データメモリ（１８）に記憶される前記波形データファイル（１９）の名称の一覧表示を指定する段階と、
前記一覧表示の指定に応じて、前記波形データメモリ（１８）に記憶される前記波形データファイル（１９）の名称を一覧表示する段階と、
をさらに備えていることを特徴とする第１０の態様に従う信号発生器のライセンス管理方法が提供される。
【００５８】
上記目的を達成するために、本発明の第１８の態様によると、
前記波形データメモリ（１８）に記憶される前記波形データファイル（１９）には、Ｗ−ＣＤＭＡ送信試験データパッケージ及びＧＳＭ送信試験データパッケージの少なくとも一つが含まれていることを特徴とする第１０の態様に従う信号発生器のライセンス管理方法が提供される。
【００５９】
以上のように構成された本発明の第１乃至第９の態様によるライセンス管理機能を有する信号発生器及び第１０乃至第１８の態様による信号発生器のライセンス管理方法においては、信号発生器自体にライセンス管理機能を備えておくようにすることにより、各信号発生器に対して確実にライセンス契約を実施することができるとともに、操作者の操作負担を軽減でき、かつ波形データに対するライセンス管理を確実に実施することができるようになる。
【図面の簡単な説明】
【００６０】［図１］図１は、本発明の第１実施形態に係るライセンス管理機能を有する信号発生器の概略構成を示すブロック図である。
［図２］図２は、図１の信号発生器に組込まれた波形データファイル情報メモリの記憶内容を示す図である。
［図３］図３は、図１の信号発生器に入力される使用許可ファイルリストを示す図である。
［図４］図４は、図１の信号発生器と外部ネットワークとの接続状態を示す図である。
［図５］図５は、図４のネットワークにおけるユーザ端末と測定器メーカサイトとの間での情報交換を示すシーケンス図である。
［図６Ａ］図６Ａは、図４のネットワークにおけるユーザ端末と測定器メーカサイトとの間で授受される各種情報のフォーマットを示す図である。
［図６Ｂ］図６Ｂは、図４のネットワークにおけるユーザ端末と測定器メーカサイトとの間で授受される各種情報のフォーマットを示す図である。
［図７］図７は、図１の信号発生器の全体動作を示すフローチャートである。
［図８］図８は、本発明の第２実施形態に係る信号発生器と外部ネットワークにおけるユーザ端末と測定器メーカサイトとライセンス管理部との間での情報交換を示すシーケンス図である。
［図９］図９は、従来の測定器の波形データ管理手法を説明するための模式図である。
【発明を実施するための最良の形態】
【００６１】  以下、本発明の各実施形態を図面を用いて説明する。【００６２】  （第１実施形態）
図１は本発明の第１実施形態に係るライセンス管理機能を有する信号発生器の概略構成を示すブロック図である。【００６３】  図１において、図９と同一部分には同一符号を付して重複する部分の詳細説明を省略するものとする。【００６４】  図１に示すように、本発明に係るライセンス管理機能を有する信号発生器は、基本的には、測定対象１に対して送出すべき試験信号を作成する信号作成出力部１１と、前記信号作成出力部１１で前記試験信号を作成する際に用いられる波形データのライセンスを管理するライセンス管理部１２とを具備する信号発生器であって、前記ライセンス管理部１２は、それぞれ異なる試験のための複数の波形データが書込まれる複数の波形データファイル１９を記憶する波形データメモリ１８と、外部から入力される当該信号発生器に対して認証された使用許可の波形データファイルを特定する使用許可ファイルリスト２１を取込む使用許可ファイルリスト取込部２６と、前記使用許可ファイルリスト取込部２６によって取込まれる使用許可ファイルリスト２１を記憶する使用許可ファイルリストメモリ２９と、前記波形データメモリ１８に記憶される複数の波形データファイル１９のうちから使用希望の波形データファイルを指定する使用ファイル指定部３４と、前記使用ファイル指定部３４によって指定された前記使用希望の波形データファイルが前記使用許可ファイルリストメモリ２９に記憶されている使用許可ファイルリストに含まれているか否かを判定する判定部３０と、前記判定部３０によって前記使用希望の波形データファイルが前記使用許可ファイルリストメモリ２９に含まれていると判定されたとき、当該指定された波形データファイル１９を前記波形データメモリ１８から読出して、前記信号作成出力部１１へ転送する波形データファイル読出転送部３６とを備え、前記信号作成出力部１１は、前記波形データファイル読出転送部３６から転送される前記波形データファイル１９から読み出される波形データに基づいて所定の試験信号を作成して前記測定対象１に対して送出することを特徴とする。【００６５】  すなわち、具体的には、この信号発生器１０は、大きく分けて、測定対象１に対して試験信号を送出する試験信号の信号作成出力部１１と、試験信号の波形データのライセンスを管理する波形データ管理装置としてのライセンス管理部１２とで構成されている。【００６６】  ここで、ライセンス管理部１２は、必要に応じて、信号発生器１０を使用するユーザのユーザ端末１３または、例えば、ＣＦ（ｃｏｍｐａｃｔ  ｆｌａｓｈ）カード等の記憶媒体１３ａから使用許可ファイルリスト２１が入力される入力部２５を有している。【００６７】  ユーザ端末１３は、図４に示すように、インターネット１４を介して信号発生器メーカサイト１５に接続されている。【００６８】  なお、測定対象１には、必要に応じて、別の測定器であるスペクトラムアナライザ１６が接続される。【００６９】  図１の信号発生器１０におけるライセンス管理部１２のＨＤＤ（ハード・ディスク・ドライブ）１７内には、複数の波形データファイル１９を記憶する波形データメモリ１８と、波形データファイル情報メモリ２０とが記憶されている。【００７０】  各波形データファイル１９内には、測定対象１に送出する測定条件毎の測定信号の波形を信号作成出力部１１で作成するための波形データが書込まれている。【００７１】  具体的には、測定対象１がディジタル通信機器であって、その受信感度の試験を行う場合の試験信号として、変調前のＩ、Ｑデータ形式の波形データが書込まれている。【００７２】  また、測定対象１がディジタル通信機器のうち、Ｗ−ＣＤＭＡ方式の携帯電話における基準測定チャンネル（Ｒｅｆｅｒｅｎｃｅ  Ｍｅａｓｕｒｅｍｅｎｔ  ｃｈａｎｎｅｌｓ）試験の場合には、上述した非特許文献１によって規格化されている、例えば、１２．２ｋｂｐｓ，６４ｋｂｐｓ，１４４ｋｂｐｓ等の情報ビットレートを含む各種の試験パラメータ等が各波形データファイル１９内に波形データとして書込まれている。【００７３】  波形データファイル情報メモリ２０内には、図２に示すように、波形データメモリ１８に記憶された各波形データファイル１９を特定する「パターン」、「パッケージ」、「バージョン」からなる波形データファイル情報が記憶されている。【００７４】  このうち「パターン」（Ｔｅｓｔ  Ｍｏｄｅ  ０１−Ｔｅｓｔ  Ｍｏｄｅ  １１，Ｔｅｓｔ  Ｐａｔｔｅｒｎ  ｔｙｐｅ  Ａ−Ｔｅｓｔ  Ｐａｔｔｅｒｎ  ｔｙｐｅ  Ｃ）及び「パッケージ」（Ｗ−ＣＤＭＡ，ＧＳＭ）でもって、各波形データファイル１９の種別が特定される。【００７５】  また、「バージョン」（Ｖｅｒ  ００．００−Ｖｅｒ  ０２．０１）でもって、該当波形データファイル１９の改訂番号が示され、このバージョン値の大きいほど新しい波形データファイル１９であることが示される。【００７６】  なお、図２中、バージョン（Ｖｅｒ  ００．００）は、試験用の波形データファイル１９を示し、ユーザに対して無償で使用許可することを示す。【００７７】  なお、図２に示す波形データファイル情報メモリ２０内の「パターン」、「パッケージ」、「バージョン」からなる各波形データファイル情報は、実際には、例えば、この信号発生器１０に固有の情報、例えば、当該信号発生器１０の製造番号を用いて暗号化された状態で書込まれている。【００７８】  この第１実施形態の信号発生器１０においては、波形データメモリ１８の各波形データファイル１９及び波形データファイル情報メモリ２０の暗号化された各波形データファイル情報は、この信号発生器１０のメーカにおいて無償でＨＤＤ１７に書込まれた状態で各ユーザに対して出荷される。【００７９】  図３は、このライセンス管理部１２に対してユーザ端末１３またはＣＦカード等の記憶媒体１３ａから入力される使用許可ファイルリスト２１の構成を示す図である。【００８０】  この使用許可ファイルリスト２１内には、この信号発生器１０に対して、信号発生器１０のメーカにて認証された使用許可の波形データファイル１９を特定する「パターン」、「パッケージ」、「バージョン」の波形データファイル情報が組込まれている。【００８１】  なお、図３に示す使用許可ファイルリスト２１内の「パターン」、「パッケージ」、「バージョン」からなる各波形データファイル情報は、実際には、この信号発生器１０に固有の情報、例えば、当該信号発生器１０の製造番号を用いて暗号化された状態��組込まれている。【００８２】  この使用許可ファイルリスト２１は、この信号発生器１０のメーカで作成されてインターネット１４を介してユーザ端末１３へ転送されるかまたはＣＦカード等の記憶媒体１３ａからライセンス管理部１２の入力部２５に入力される。【００８３】  図５は、ユーザ端末１３と信号発生器メーカサイト１５との間での情報交換を示すシーケンス図である。【００８４】  信号発生器１０のユーザは、自己のユーザ端末１３を操作して、インターネット１４を介して、信号発生器メーカサイト１５のホームページをアクセスして、図６Ａに示すような自己の信号発生器１０に固有の情報として、例えば、信号発生器１０の機種と製造番号２２を信号発生器メーカサイト１５へ送信する。【００８５】  信号発生器メーカサイト１５は、受信した信号発生器１０の機種において使用可能な全ての波形データファイル１９の図６Ｂに示すような一覧表２３をユーザ端末１３へ送信する。【００８６】  この一覧表２３には、「パターン」、「パッケージ」、「バージョン」の波形データファイル１９を特定する波形データファイル情報毎に、該当ユーザが既に購入済みか否かの情報と、購入又はバージョンアップの選択ボタン２４が設けられている。【００８７】  この一覧表２３を受信したユーザ端末１３は、その表示部（図示せず）に一覧表２３を表示する。【００８８】  ユーザは、表示された一覧表２３において自己が購入したい「パターン」、「パッケージ」、「バージョン」の選択ボタン２４をクリックして、この一覧表２３を信号発生器メーカサイト１５へ返信する。【００８９】  信号発生器メーカサイト１５は、受信した一覧表２３で購入された「パターン」、「パッケージ」、「バージョン」の各波形データファイル情報を、先に受信した当該信号発生器１０に固有の情報、例えば、当該信号発生器１０の製造番号で暗号化して、暗号化された各波形データファイル情報を図３に示す使用許可ファイルリスト２１に組込んで、ユーザ端末１３へ送信する。【００９０】  その後、ユーザ端末１３と信号発生器メーカサイト１５との間で購入（販売）した波形データファイル１９に対する課金処理が実施される。【００９１】  ユーザ端末１３は、課金処理が終了すると、受信した暗号化された使用許可ファイルリスト２１を信号発生器１０のライセンス管理部１２へ送出する。【００９２】  図１のライセンス管理部１２において、使用許可ファイルリスト取込部２６は、ユーザ端末１３または、例えば、ＣＦカード等の記憶媒体１３ａから入力部２５を介して入力された暗号化された使用許可ファイルリスト２１を復号部２７へ送出する。【００９３】  復号部２７は、この入力された暗号化された使用許可ファイルリスト２１を、当該信号発生器１０に固有の情報、例えば、当該信号発生器１０の製造番号メモリ２８に記憶されている当該信号発生器１０に固有の情報、例えば、当該信号発生器１０の製造番号を用いて復号化して、使用許可ファイルリストメモリとしての復号済使用許可ファイルリストメモリ２９へ書込む。【００９４】  この信号発生器１０のユーザ（操作者）が、波形データメモリ１８に記憶されている複数の波形データファイル１９のうちの使用したい波形データファイル１９の「パターン」、「パッケージ」を操作パネル３３を介して入力すると、使用ファイル指定部３４が入力指定された波形データファイル１９の「パターン」、「パッケージ」を判定部３０へ送出する。【００９５】  この際、信号発生器１０のユーザ（操作者）が、波形データメモリ１８に記憶されている複数の波形データファイル１９の名称の一覧表示を操作パネル３３を介して入力すると、一覧表示指定部３３ａが波形データメモリ１８に対して波形データメモリ１８に記憶されている複数の波形データファイル１９の名称の一覧表示を指示することにより、一覧表示部３３ｂに波形データメモリ１８に記憶されている複数の波形データファイル１９の名称が、例えば、図２に示したような形態で一覧表示される。【００９６】  したがって、信号発生器１０のユーザ（操作者）は、上記の波形データメモリ１８に記憶されている複数の波形データファイル１９のうちの使用したい波形データファイル１９を入力指定する際に、一覧表示部３３ｂに一覧表示される波形データメモリ１８に記憶されている複数の波形データファイル１９の名称を参照することができる。【００９７】  そして、判定部３０は、使用希望（要求）の波形データファイル１９の「パターン」、「パッケージ」が入力されると復号部３５を起動する。【００９８】  復号部３５は、ＨＤＤ１７に記憶された図２に示す波形データファイル情報メモリ２０の「パターン」、「パッケージ」、「バージョン」からなる各波形データファイル情報を製造番号メモリ２８に記憶された信号発生器１０の製造番号を用いて復号化して判定部３０へ送出する。【００９９】  波形データファイル情報メモリ２０の各波形データファイル情報の「パターン」、「パッケージ」のうちの操作パネル３３で指定された波形データファイル情報の「パターン」、「パッケージ」を抽出して、この指定された波形データファイル情報の「パターン」、「パッケージ」が復号済使用許可ファイルリストメモリ２９の使用許可ファイルリスト２１に記憶（登録）されているか否かを調べるために、バージョン比較部３１と使用可否判定部３２とが組込まれている。【０１００】  すなわち、判定部３０は、まず、使用可否判定部３２において、指定波形データファイル情報の「パターン」、「パッケージ」が復号済使用可能ファイルリストメモリ２９に記憶（登録）されていると判定すると、次に、バージョン比較部３１が起動されて、指定された波形データファイル情報の「パターン」、「パッケージ」の「バージョン」を波形データファイル情報メモリ２０から読み出して復号部３５により復号させる。【０１０１】  そして、バージョン比較部３１は、この波形データファイル情報メモリ２０から読み出して復号部３５により復号された「バージョン」と復号済使用許可ファイルリストメモリ２９に記憶（登録）されている使用許可の「パターン」、「パッケージ」の波形データファイルの「バージョン」とを比較する。【０１０２】  そして、指定された波形データファイルの「バージョン」が使用許可ファイルリストの波形データファイルの「バージョン」以下のとき、使用可否判定部３２が、指定された波形データファイルは使用可能であると判定して、指定され��波形データファイルの情報を波形データファイル読出・転送部３６へ送出する。【０１０３】  なお、指定された波形データファイルの「バージョン」が（Ｖｅｒ  ００．００）の場合には、試験用の波形データファイル１９で、ユーザに対して無償で使用許可されるので、使用許可ファイルリストファイル２９内を検索することなく、即座に、指定された波形データファイルの情報を波形データファイル読出・転送部３６へ送出する。【０１０４】  波形データファイル読出・転送部３６は、波形データファイル情報で指定された波形データファイル１９を波形データメモリ１８から読出して、信号生成出力部１１の波形バッファ３７へ書込む。【０１０５】  この際、詳細表示部３６ａには、波形データメモリ１８から読み出された波形データファイル１９の詳細情報（例えば、上述した非特許文献１によって規格化されているような１２．２ｋｂｐｓ，６４ｋｂｐｓ，１４４ｋｂｐｓ等の情報ビットレートを含む各種の試験パラメータ等）が表示されるようになされているので、信号発生器１０のユーザにとって、非常に効率的に各種業務を遂行することが可能となる。【０１０６】  そして、信号生成出力部１１の波形バッファ３７へ書込まれた波形データファイル１９の各波形データは順次読出されて、ディジタル／アナログ（Ｄ／Ａ）変換器３８でアナログの各波形データに変換されて次の変調部３９へ送出される。【０１０７】  変調部３９は，入力されたアナログの各波形データを、例えば、位相変調して高周波変換部４０へ送出する。【０１０８】  高周波変換部４０は、入力された変調信号の周波数を、例えば、ＧＨｚ帯の高周波に変換して、試験信号として測定対象１へ送出する。【０１０９】  なお、この際、測定対象１に対してＤ／Ａ変換器３８で変換されたアナログの各波形データを送出する場合もある。【０１１０】  このように構成された信号発生器１０のライセンス管理部１２の全体動作を図７に示すフローチャートを用いて説明する。【０１１１】  先ず、ユーザ端末１３またはＣＦカード等の記憶媒体１３ａから図３に示す暗号化された使用許可ファイルリスト２１が入力されると（ステップＳ１）、復号部２７が起動されて、使用許可ファイルリスト２１の各使用許可の波形データファイル情報を当該信号発生器１０に固有の情報、例えば、当該信号発生器１０の製造番号を用いて復号化する（ステップＳ２）。【０１１２】  そして、この復号化された使用許可の波形データファイル情報で復号済使用許可ファイルリストメモリ２９の記憶内容が更新される（ステップＳ３）。【０１１３】  次に、操作パネル３３から使用波形データファイルの指定が入力されると（ステップＳ４）、復号部３５が波形データファイル情報メモリ２０に記憶されている各波形データファイル情報を復号化する（ステップＳ５）。【０１１４】  この復号化された各波形データファイル情報から指定された波形データファイル情報の「パターン」、「パッケージ」が判定部３０によって抽出されると（ステップＳ６）、この抽出（指定）された「パターン」、「パッケージ」で、復号済使用許可ファイルリストメモリ２９内が検索される（ステップＳ７）。【０１１５】  復号済使用許可ファイルリストメモリ２９���に、該当「パターン」、「パッケージ」の波形データファイル情報が記憶されていることが検索されると（ステップＳ８）、バージョン比較部３１によって両方の波形データファイル情報の「バージョン」が比較される（ステップＳ９）。【０１１６】  そして、この「バージョン」比較において、使用許可ファイルリストメモリ２９の波形データファイル情報の「バージョン」が指定された波形データファイル情報の「バージョン」以上の場合（ステップＳ１０）、波形データファイル読出・転送部３６が起動されて、「パターン」、「パッケージ」で指定された波形データファイル情報で指定される波形データファイル１９が波形データメモリ１８から読み出されて、信号生成出力部１１の波形バッファ３７へ書込まれ（ステップＳ１２）るとともに、その後、信号生成出力部１１が起動される（ステップＳ１３）。【０１１７】  なお、ステップＳ８にて、復号済使用許可ファイルリストメモリ２９内に、該当「パターン」、「パッケージ」の波形データファイル情報が記憶されていない場合や、ステップＳ１０にて、使用許可ファイルリストメモリ２７の波形データファイル情報の「バージョン」が指定された波形データファイル情報の「バージョン」未満の場合には、指定された波形データファイルの使用不可メッセージが操作パネル３３の表示部（図示せず）に表示される（ステップＳ１１）。【０１１８】  このように構成された第１実施形態のライセンス管理機能を有する信号発生器においては、信号発生器１０のライセンス管理部１２におけるＨＤＤ１７の波形データメモリ１８内には、それぞれ、測定対象１に送出する測定条件毎の測定信号の波形を信号作成出力部１１で作成するための波形データが書込まれている複数の波形データファイル１９が記憶されている。【０１１９】  波形データメモリ１８の各波形データファイル１９は、この信号発生器１０のメーカにおいて無償でＨＤＤ１７に書込まれた状態で各ユーザに対して出荷される。【０１２０】  この信号発生器１０を販売する信号発生器のメーカは、各信号発生器１０毎に該当信号発生器１０に対して使用許可の波形データファイル１９を特定する使用許可ファイルリスト２１を、インターネット１４を介してこの各信号発生器１０のユーザのユーザ端末１３またはＣＦカード等の記憶媒体１３ａを介して各信号発生器１０のユーザに有償で提供する。【０１２１】  各信号発生器１０のユーザは、有償で提供された使用許可ファイルリスト２１を自己の対応する信号発生器１０へ入力する。【０１２２】  その後、ユーザは、使用希望の波形データファイルに対する操作指定を行うと、操作指定された波形データファイルが、使用許可ファイルリスト２１に含まれ、かつ「バージョン」が使用許可ファイルリストの「バージョン」以下の場合には、該当使用希望の波形データファイル１９が波形データメモリ１８から読み出されて、試験信号の作成出力部１１へ転送される。【０１２３】  その結果、信号発生器１０からユーザが使用を希望する波形データファイル１９の波形データを用いた波形を有する所定の試験信号が測定対象１へ送出される。【０１２４】  このように、各信号発生器１０の波形データメモリ１８に無償で書込まれた各波形���ータファイル１９は、該当信号発生器１０に対して有償で提供された使用許可ファイルリスト２１に含まれていない限り、読み出されないので、この信号発生器１０を販売する信号発生器のメーカは、各波形データファイル１９に対するライセンス管理が確実に実施することができる。【０１２５】  さらに、信号発生器１０メーカからインターネット１４を介してユーザのユーザ端末１３にまたはＣＦカード等の記憶媒体１３ａを介して有償で提供される使用許可ファイルリスト２１は、提供先のユーザの信号発生器１０に固有の情報、例えば、当該信号発生器１０の製造番号を用いて暗号化されているので、この使用許可ファイルリスト２１は提供先のユーザの信号発生器１０に入力されたときのみ、当該信号発生器１０に固有の情報、例えば、当該信号発生器１０の製造番号を用いて復号することが可能である。【０１２６】  したがって、この使用許可ファイルリスト２１は他の信号発生器１０に入力されたとしても復号することができないので、使用許可ファイルリスト２１の安全性をより一層向上させることができる。【０１２７】  これによって、この信号発生器１０を販売する信号発生器のメーカは、波形データファイル１９のライセンス管理をより一層厳格に実施することが可能となる。【０１２８】  さらに、波形データメモリ１８の各波形データファイル１９及び使用許可ファイルリスト２１の各使用許可の各波形データファイルにそれぞれ「バージョン」を持たすことにより、各波形データファイルに対するバージョン管理が可能となり、各波形データファイル１９に対するライセンス管理を、バージョン管理を含めてより確実に実施することができる。【０１２９】  そして、本発明に係る信号発生器のライセンス管理方法は、基本的には、測定対象１に対して送出すべき試験信号を作成する信号作成出力部１１を準備する段階と、前記信号作成出力部１１で前記試験信号を作成する際に用いられる波形データのライセンスを管理する段階とを具備する信号発生器のライセンス管理方法であって、前記ライセンスを管理する段階は、それぞれ異なる試験のための複数の波形データが書込まれる複数の波形データファイル１９を波形データメモリ１８に記憶する段階と、外部から入力される当該信号発生器に対して認証された使用許可の波形データファイル１９を特定する使用許可ファイルリストを取込む段階と、前記取込む段階によって取込まれる前記使用許可ファイルリストを使用許可ファイルリストメモリ２９に記憶する段階と、前記波形データメモリ１８に記憶される複数の波形データファイル１９のうちから使用希望の波形データファイルを指定する段階と、前記指定する段階によって指定された前記使用希望の波形データファイルが前記使用許可ファイルリストメモリ２９に記憶されている使用許可ファイルリストに含まれているか否かを判定する段階と、前記判定する段階によって前記使用希望の波形データファイルが前記使用許可ファイルリストメモリ２９に含まれていると判定されたとき、当該指定された波形データファイル１９を前記波形データメモリ１８から読み出して、前記信号作成出力部１１へ転送する段階とを備え、前記信号作成出力部１１は、前記転送する段階によって転送される前記波形データファイル１９から読み出された波形データに基づいて所定の試験信号を作成して前記測定対象１に対して送出することを特徴とする。【０１３０】  （第２実施形態）
この第２実施形態に係るライセンス管理機能を有する信号発生器は、図１乃至図７に示した第１実施形態のそれに対して、信号発生器メーカサイト１５からインターネット１４を介して波形データファイル１９をダウンロードする機能を付加したものである。【０１３１】  図８はこの第２実施形態に係るライセンス管理機能を有する信号発生器におけるユーザ端末１３と信号発生器メーカサイト１５と信号発生器１０のライセンス管理部１２との間での情報交換を示すシーケンス図である。【０１３２】  信号発生器メーカサイト１５からインターネット１４を介して、ユーザ端末１３に新規波形データファイルの紹介を送信する。【０１３３】  ユーザはユーザ端末１３の表示画面で信号発生器メーカサイト１５からの新規波形データファイルの紹介を確認すると、自己の信号発生器１０の機種と信号発生器１０に固有の情報、例えば、当該信号発生器１０の製造番号とを信号発生器メーカサイト１５へ返信する。【０１３４】  信号発生器メーカサイト１５は、新規の波形データファイル１９をインターネット１４を介して対応するユーザ端末１３へ送信する。【０１３５】  ユーザ端末１３は受信した新規の波形データファイル１９を信号発生器１０のライセンス管理部１２へ転送する。【０１３６】  新規の波形データファイル１９を受信したライセンス管理部１２は、この受信した新規の波形データファイル１９を波形データメモリ１８に対して追加書込を行う。【０１３７】  また、信号発生器メーカサイト１５は、新規の波形データファイル１９をユーザ端末１３へ送信した後に、この送信した新規の波形データファイル１９を特定する「パターン」、「パッケージ」、「バージョン」からなる新規の波形データファイル情報を先に受信した信号発生器１０に固有の情報、例えば、当該信号発生器１０の製造番号で暗号化してインターネット１４を介して、ユーザ端末１３へ送出する。【０１３８】  暗号化された新規の波形データファイル情報を受信したユーザ端末１３は、この暗号化された新規の波形データファイル情報を信号発生器１０のライセンス管理部１２へ転送する。【０１３９】  新規の波形データファイル情報を受信したライセンス管理部１２は、この受信した暗号化された新規の波形データファイル情報を波形データファイル情報メモリ２０に追加書込を行う。【０１４０】  このように構成された第２実施形態によるライセンス管理機能を有する信号発生器においては、信号発生器メーカサイト１５から、ネットワーク１４及びユーザ端末１３を介して信号発生器１０のライセンス管理部１２へ、暗号化された使用許可ファイルリスト２１、各波形データファイル１９、及び暗号化された波形データファイル情報をダウンロードすることによって、信号発生器メーカ及び信号発生器のユーザにとって、非常に効率的に各種業務を遂行することが可能となる。【０１４１】  なお、本発明は上述した各実施形態に限定されるものではなく、例えば、各実施形態においては、単に、信号発生器１０と記載しているが、純粋な信号発生器１０のみに限定されずに、測定対象１に対して試験信号を送出することが可能な信号発生器の機能を包含する測定器であってもよいことは言うまでもない。【０１４２】  したがって、以上詳述したように、本発明によれば、信号発生器自体にライセンス管理機能を備えておくようにすることにより、各信号発生器に対して確実にライセンス契約を実施することができるとともに、操作者の操作負担を軽減でき、かつ波形データに対するライセンス管理を確実に実施することができるライセンス管理機能を有する信号発生器及びそのライセンス管理方法を提供することが可能となる。
【図１】
0004652977.tif 000002
【図２】
0004652977.tif 000003
【図３】
0004652977.tif 000004
【図４】
0004652977.tif 000005
【図５】
0004652977.tif 000006
0004652977.tif 000007
0004652977.tif 000008
【図７】
0004652977.tif 000009
【図８】
0004652977.tif 000010
【図９】
0004652977.tif 000011